(57)【要約】【課題】残液量を減少させることが可能なシリンジ型噴出装置を提供する。【解決手段】シリンジ型噴出装置１は、バレル１０と、バレル１０に対向配置されるノズル３０と、ノズル３０に挿入される中込７０とを備え、バレル１０は、液体を吐出する吐出空間１１ａが設けられた拡径部１１を有し、ノズル３０には中込７０を保持する保持空間３６が設けられており、保持空間３６は吐出空間１１ａに連通し、中込７０は吐出空間１１ａに挿入される。【選択図】図１７
2018175006.tif 000002
【特許請求の範囲】
【請求項１】
バレルと、
前記バレルに対向配置されるノズルと、
前記ノズルに挿入される中込とを備え、
前記バレルは、液体を吐出する吐出空間が設けられた先端部を有し、
前記ノズルには中込を保持する保持空間が設けられており、前記保持空間は前記吐出空間に連通し、
前記中込は前記吐出空間に挿入される、シリンジ型噴出装置。
【請求項２】
前記バレルと前記ノズルとの間に介在する環状のパッキンをさらに備えた、請求項１に記載のシリンジ型噴出装置。
【発明の詳細な説明】
【技術分野】
【０００１】
本発明は、シリンジ型噴出装置に関する。
【背景技術】
【０００２】
従来、シリンジ型噴出装置は、たとえば特開２０１４−４６０４０号公報（特許文献１）、および特開２０１６−７４０９号公報（特許文献２）に記載されている。
【先行技術文献】
【特許文献】
【０００３】
【特許文献１】特開２０１４−４６０４０号公報
【特許文献２】特開２０１６−７４０９号公報
【発明の概要】
【発明が解決しようとする課題】
【０００４】
特許文献１では、操作器具の先端にカートリッジを嵌合させる構成が開示されている。
特許文献２では、先端にノズル本体部が嵌合したシリンジが開示されている。
【０００５】
しかしながら、従来のシリンジ型噴出装置では、バレル内でガスケットの先端部分に液体が残りやすいという問題があった。
【０００６】
本発明は、上記のような問題に鑑みてなされたものであり、本発明の目的は、残液量を減少させることが可能なシリンジ型噴出装置を提供することである。
【課題を解決するための手段】
【０００７】
本発明のシリンジ型噴出装置は、バレルと、バレルに対向配置されるノズルと、ノズルに挿入される中込とを備え、バレルは、液体を吐出する吐出空間が設けられた先端部を有し、ノズルには中込を保持する保持空間が設けられており、保持空間は吐出空間に連通し、中込は吐出空間に挿入される。
【０００８】
このように構成されたシリンジ型噴出装置では、中込は吐出空間に挿入されるため、吐出空間内の残液量を減少させることができる。
【０００９】
好ましくは、バレルとノズルとの間に介在する環状のパッキンをさらに備える。この場合、パッキンを設けることで、バレルとノズルとの間から液体が漏れることを防止できる。
【発明の効果】
【００１０】
本発明によれば、残液量を減少させることが可能なシリンジ型噴出装置を提供できる。
【図面の簡単な説明】
【００１１】
【図１】実施の形態１に係るシリンジ型噴出装置の斜視図である。
【図２】実施の形態１に係るシリンジ型噴出装置の一部断面を含む斜視図である。
【図３】実施の形態１に係るシリンジ型噴出装置のバレルとノズルとの係合部分を拡大して示す一部断面を含む斜視図である。
【図４】実施の形態１に係るシリンジ型噴出装置のバレルの斜視図である。
【図５】実施の形態１に係るシリンジ型噴出装置のノズルの斜視図である。
【図６】実施の形態１に係るシリンジ型噴出装置のノズルの斜視図である。
【図７】（ａ）は実施の形態１に係るシリンジ型噴出装置のパッキンの斜視図であり、（ｂ）は実施の形態１に係るシリンジ型噴出装置のパッキンの側面図である。
【図８】残液空間を説明するために示す実施の形態１に係るシリンジ型噴出装置の一部断面を含む斜視図である。
【図９】実施の形態２に係るシリンジ型噴出装置の斜視図である。
【図１０】実施の形態２に係るシリンジ型噴出装置の斜視図である。
【図１１】実施の形態２に係るシリンジ型噴出装置の一部断面を含む斜視図である。
【図１２】実施の形態２に係るシリンジ型噴出装置のバレルとノズルとの係合部分を拡大して示す一部断面を含む斜視図である。
【図１３】実施の形態２に係るシリンジ型噴出装置のバレルの斜視図である。
【図１４】実施の形態２に係るシリンジ型噴出装置のノズルの斜視図である。
【図１５】実施の形態２に係るシリンジ型噴出装置のノズルの斜視図である。
【図１６】（ａ）は実施の形態２に係るシリンジ型噴出装置のパッキンの斜視図であり、（ｂ）は実施の形態２に係るシリンジ型噴出装置のパッキンの側面図である。
【図１７】残液空間を説明するために示す実施の形態２に係るシリンジ型噴出装置の一部断面を含む斜視図である。
【図１８】残液空間を説明するために示す実施の形態３に係るシリンジ型噴出装置の一部断面を含む斜視図である。
【図１９】残液空間を説明するために示す実施の形態４に係るシリンジ型噴出装置の一部断面を含む斜視図である。
【発明を実施するための形態】
【００１２】
以下、本発明の実施の形態について、図を参照して詳細に説明する。なお、以下に示す実施の形態においては、同一のまたは共通する部分について図中同一の符号を付し、その説明は繰り返さない。
【００１３】
（実施の形態１）
（構成）
図１は、実施の形態１に係るシリンジ型噴出装置の斜視図である。図２は、実施の形態１に係るシリンジ型噴出装置の一部断面を含む斜視図である。図１および図２で示すように、シリンジ型噴出装置１は、バレル１０、シール部材としてのパッキン６０、ノズル３０、中込７０、ガスケット２２、ストッパ４０、フィンガーグリップ５０、プランジャー２０を有する。
【００１４】
バレル１０は、先端部としての拡径部１１からフランジ１２まで延びる。バレル１０は、透明または半透明である。バレル１０内には液体が封入される。液体の量を示す目盛りがバレル１０の外周面に設けられてもよい。
【００１５】
バレル１０はガラスにより構成されるが、プラスチックによって構成されてもよい。バレル１０の材質は、バレル１０内に収納される液体、および薬剤によって決定される。
【００１６】
ノズル３０が拡径部１１と対向するように設けられている。ノズル３０は付勢部３１を有する。付勢部３１は拡径部１１を覆う。ノズル３０の先端には噴出孔３９が設けられている。中込７０の表面には中込７０の長手方向に延びる溝部が設けられている。そのため、中込７０がノズル３０の内周面と当接している場合であっても中込７０の表面の溝部に沿って液体が中込７０の長手方向に移動することが可能である。噴出孔３９から、内腔１６の薬剤を中込７０の溝部を通して噴出させることが可能である。
【００１７】
ノズル３０と拡径部１１との間には、パッキン６０が配置される。パッキン６０は環状である。パッキン６０はたとえばゴム、樹脂などの弾性体により構成される。
【００１８】
フィンガーグリップ５０は、フランジ１２に嵌合する。フィンガーグリップ５０は、人が手で保持するためのものである。人がフランジ１２を保持できる程度にフランジ１２が十分な大きさを有する場合には、フィンガーグリップ５０を設ける必要はない。
【００１９】
プランジャー２０は、バレル１０の内腔１６に挿入される。プランジャー２０は棒状である。プランジャー２０の先端にはガスケット２２が嵌合している。プランジャー２０の後端は押圧部２１を構成している。
【００２０】
プランジャー２０は、バレル１０内を移動することが可能である。プランジャー２０がバレル１０内を移動することによってガスケット２２から拡径部１１までの内腔１６の容積が変化する。この容積の変化に応じて、拡径部１１から液体が吐出される。
【００２１】
シリンジ型噴出装置１は、容量規定型シリンジである。ストッパ４０はプランジャー２０に係合している。ストッパ４０は、一回のポンピングでの薬剤投与量を決定するためのものである。プランジャー２０の一回のポンピングでの投与量を制限する必要がある場合にストッパ４０が設けられる。投与量を制限する必要が無い場合には、ストッパ４０を設ける必要はない。
【００２２】
経鼻投与デバイスとしてシリンジ型噴出装置１を用いる場合には、一方の鼻孔にノズル３０を挿入してプランジャー２０をポンピングして噴出孔３９から薬剤を噴出させる。ストッパ４０によりポンピングのストロークが制限される。ストッパ４０をプランジャー２０から取り外し、ノズル３０を他方の鼻孔に挿入してプランジャー２０をポンピングすることで、噴出孔３９から他方の鼻孔に薬剤を噴出させる。
【００２３】
図３は、実施の形態１に係るシリンジ型噴出装置のバレルとノズルとの係合部分を拡大して示す一部断面を含む斜視図である。図３で示すように、バレル１０は外径が小さいネック部１３を有する。ネック部１３に拡径部１１が取り付けられている。ネック部１３および拡径部１１に吐出空間１１ａが設けられている。
【００２４】
拡径部１１の第一面１１ｆはＯリングとしてのパッキン６０と接触する面である。
ノズル３０のノズル本体３３には内腔である保持空間３６が設けられている。保持空間３６に中込７０が収納されている。中込７０は、その表面に薬剤をノズル先端へ送達する溝が設けられている。中込７０はノズル３０の後端から突出している。そのため、中込７０はバレル１０の先端の拡径部１１およびネック部１３に挿入されている。
【００２５】
ノズル３０の後側端面が第二面３５ｆである。第二面３５ｆは第一面１１ｆと対向している。
【００２６】
付勢部３１はノズル３０の一部分を構成している。付勢部３１には爪部３４が設けられており、爪部３４が拡径部１１に係合する。ノズル３０には貫通孔３２が設けられている。これにより、付勢部３１に可撓性が付与される。
【００２７】
図４は、実施の形態１に係るシリンジ型噴出装置のバレルの斜視図である。ガラスにより構成されるバレル１０は、拡径部１１からフランジ１２へ長手方向に延在する。円筒形状のバレル１０の内径は一定である。バレル１０は、円筒形状に限らない。また、バレルの材質はガラスでなくてもよい。
【００２８】
図５は、実施の形態１に係るシリンジ型噴出装置のノズルの斜視図である。図５で示すように、ノズル３０の後端側が付勢部３１である。付勢部３１の外径はノズル本体３３の外径よりも大きい。付勢部３１の内部空間には、複数の爪部３４が等間隔に設けられている。この実施の形態では付勢部３１は、ノズル３０と一体的に設けられているが、付勢部３１はノズル３０と別体に設けられていてもよい。
【００２９】
第二面３５ｆの外周に複数の貫通孔３２が設けられている。なお、各貫通孔３２は各爪部３４に対応した位置に設けられている。
【００３０】
図６は、実施の形態１に係るシリンジ型噴出装置のノズルの斜視図である。図６で示すように、ノズル本体３３の外径は、先端に近づくにつれて小さくなっており、いわゆるテーパー形状となっている。これは、ノズル本体３３の先端を鼻孔に挿入して先端から薬剤を鼻腔に噴出させるためである。
【００３１】
図７の（ａ）は、実施の形態１に係るシリンジ型噴出装置のパッキンの斜視図である。図７の（ｂ）は、実施の形態１に係るシリンジ型噴出装置のパッキンの側面図である。図７の（ａ）および（ｂ）で示すように、パッキン６０は円形状であり、中央に貫通孔６２が設けられている。互いに対向するパッキン６０のスラスト面には、一対の環状の凸部６１が設けられている。凸部６１が設けられることで、第一面１１ｆおよび第二面３５ｆによって、凸部６１が圧縮され、凸部６１がつぶれた形状となる。これにより、液体の漏れを防止する効果が大きくなる。
【００３２】
シリンジ型噴出装置１は、バレル１０と、バレル１０に対向配置されるノズル３０と、ノズル３０に挿入される中込７０とを備える。バレル１０は、液体を吐出する吐出空間１１ａが設けられた先端部としての拡径部１１を有する。ノズル３０には中込７０を保持する保持空間３６が設けられており、保持空間３６は吐出空間１１ａに連通する。中込７０は吐出空間１１ａに挿入される。シリンジ型噴出装置１は、バレル１０とノズル３０との間に介在する環状のパッキン６０をさらに備える。拡径部１１はノズル３０に対向する第一面１１ｆを含む。ノズル３０は第一面１１ｆに対向する第二面３５ｆを含み、第一面１１ｆと第二面３５ｆとに当接して吐出空間１１ａから保持空間３６への液体の移動を可能にするように環状のパッキン６０が設けられており、さらに、第一面１１ｆおよび第二面３５ｆを環状のパッキン６０に向けて付勢する付勢部３１を備える。
【００３３】
付勢部３１はノズル３０に設けられている。付勢部３１は拡径部１１を覆う。付勢部３１は拡径部１１に係合する。付勢部３１は拡径部１１に係合する複数の爪部３４を有する。付勢部３１は可撓性を有し、付勢部３１に近接するノズル３０の部分にノズルの肉厚を貫通する貫通孔３２が設けられている。第一面１１ｆおよび第二面３５ｆはスラスト面である。中込７０は第二面３５ｆから突出して吐出空間１１ａに挿入される。
【００３４】
プランジャー２０をノズル３０に向かって押し込むと、内腔１６内の薬剤が中込７０の表面に設けた溝部を通り、薬剤が噴出孔３９から噴出する。シリンジ型噴出装置１を経鼻投与デバイスとして用いる場合には、ノズル３０が鼻孔に挿入されて、薬剤が鼻腔内に噴霧される。
【００３５】
図８は、残液空間を説明するために示す実施の形態１に係るシリンジ型噴出装置の一部断面を含む斜視図である。図８で示すように、噴霧後は、ガスケット２２が中込７０に近づく位置にある。ガスケット２２と中込７０との間に残液空間１６０が形成される。残液空間１６０に噴霧されなかった薬剤（液体）が残存する。中込７０が吐出空間１１ａに挿入されているため、中込７０が吐出空間１１ａに挿入されていない場合と比較して、残液空間１６０の体積は小さい。中込７０が吐出空間１１ａに挿入されていない場合には、吐出空間１１ａの全体に薬剤が残存する。これに対して、吐出空間１１ａに中込７０が挿入されているため、吐出空間１１ａ内の残液量を減少させることができる。
【００３６】
（効果）
このように構成されたシリンジ型噴出装置１では、吐出空間１１ａに中込７０が挿入されているため、吐出空間１１ａ内の残液量を減少させることができる。
【００３７】
第一面１１ｆと第二面３５ｆとの間にパッキン６０が設けられており、パッキン６０へ向かって付勢部３１により第一面１１ｆおよび第二面３５ｆが付勢される。その結果、第一面１１ｆおよび第二面３５ｆの間から液体が漏れることを防止できる。その結果、所定量の薬剤を確実に噴霧できる。
【００３８】
第一面１１ｆおよび第二面３５ｆがスラスト面であり、これらの間にパッキン６０を配置するため、ラジアル面にパッキン６０を設けた場合と比べ、シリンジ型噴出装置１の径方向の大きさを小さくすることができる。吐出空間１１ａの内径を大きくすることができるため、中込７０を吐出空間に挿入しやすくなる。
【００３９】
付勢部３１が拡径部１１を覆うため、付勢部３１と拡径部１１との接触面積が大きくなる。その結果、付勢部３１により拡径部１１を確実に保持することができる。
【００４０】
複数の爪部３４が可撓性（弾性）を有し、図３で示す状態では拡径部１１に係合しているため、付勢部３１の弾性を利用して第一面１１ｆをパッキン６０に押付けることができる。
【００４１】
（実施の形態２）
図９および図１０は、実施の形態２に係るシリンジ型噴出装置の斜視図である。図１１は、実施の形態２に係るシリンジ型噴出装置の一部断面を含む斜視図である。
【００４２】
図９から図１１で示すように、実施の形態２に従ったシリンジ型噴出装置１では、プランジャー２０に段差２５が設けられている。段差２５は、フィンガーグリップ５０の突起５１と係合している。
【００４３】
図１０で示すように、突起５１と段差２５とが当接している状態から、プランジャー２０を回転させると係合が解除される。これによりプランジャー２０を軸方向に移動させることができる。
【００４４】
実施の形態２ではノズル３０の先端にはノズルキャップ８０が嵌合している。なお、実施の形態１においてもノズル３０がノズルキャップ８０に覆われていてもよい。
【００４５】
図１２は、実施の形態２に係るシリンジ型噴出装置のバレルとノズルとの係合部分を拡大して示す一部断面を含む斜視図である。図１２で示すように、実施の形態２に従った付勢部３１は、実施の形態１に従った付勢部３１よりも軸方向に長い。付勢部３１の内周面には爪部３４が設けられている。また、ノズル３０に実施の形態１のような貫通孔が設けられていない。
【００４６】
図１３は、実施の形態２に係るシリンジ型噴出装置のバレルの斜視図である。図１３で示すように、実施の形態２に従ったバレル１０は、バレル１０の内部の構成が斜視図において示されている。
【００４７】
光を嫌う液体、薬剤が用いられる場合には、バレル１０は光を遮断する材料により構成される。
【００４８】
図１４および図１５は、実施の形態２に係るシリンジ型噴出装置のノズルの斜視図である。図１４および図１５で示すように、実施の形態２のノズル３０は軸方向に長い形状の付勢部３１を有する。付勢部３１の内周面には環状の爪部３４が設けられている点で、実施の形態１に従った付勢部３１と異なる。
【００４９】
図１６の（ａ）は、実施の形態２に係るシリンジ型噴出装置のパッキンの斜視図である。図１６の（ｂ）は、実施の形態２に係るシリンジ型噴出装置のパッキンの側面図である。図１６の（ａ）および（ｂ）で示すように、実施の形態２に従ったパッキン６０は、実施の形態１に従ったパッキン６０よりも厚く構成される。
【００５０】
パッキン６０の厚みを増すことで、パッキン６０が軸方向に押圧された場合のパッキン６０の弾性変形量が多くなる。その結果、パッキン６０が第一面１１ｆおよび第二面３５ｆに密着しやすくなる。
【００５１】
図１７は、残液空間を説明するために示す実施の形態２に係るシリンジ型噴出装置の一部断面を含む斜視図である。図１７で示すように、噴霧後は、ガスケット２２が中込７０に近づく位置にある。ガスケット２２と中込７０との間に残液空間１６０が形成される。残液空間１６０に噴霧されなかった薬剤（液体）が残存する。中込７０が吐出空間１１ａに挿入されているため、中込７０が吐出空間１１ａに挿入されていない場合と比較して、残液空間１６０の体積は小さい。中込７０が吐出空間１１ａに挿入されていない場合には、吐出空間１１ａの全体に薬剤が残存する。これに対して、吐出空間１１ａに中込７０が挿入されているため、吐出空間１１ａ内の残液量を減少させることができる。
【００５２】
（実施の形態３）
図１８は、残液空間を説明するために示す実施の形態３に係るシリンジ型噴出装置の一部断面を含む斜視図である。図１８で示すように、実施の形態３のシリンジ型噴出装置１では、パッキン６０が拡径部１１の外周面（ラジアル面）側に設けられている点で、実施の形態２に従ったシリンジ型噴出装置１と異なる。
【００５３】
このように構成された実施の形態３に従ったシリンジ型噴出装置１でも、実施の形態２に従ったシリンジ型噴出装置１と同様の効果がある。
【００５４】
（実施の形態４）
図１９は、残液空間を説明するために示す実施の形態４に係るシリンジ型噴出装置の一部断面を含む斜視図である。図１９で示すように、実施の形態４のシリンジ型噴出装置１ではパッキン６０が設けられていない点で、実施の形態２および３に従ったシリンジ型噴出装置１と異なる。
【００５５】
このように構成された実施の形態４に従ったシリンジ型噴出装置１でも、実施の形態２に従ったシリンジ型噴出装置１と同様の効果がある。
【００５６】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００５７】
１  シリンジ型噴出装置、１０  バレル、１１  拡径部、１１ａ  吐出空間、１１ｆ  第一面、１２  フランジ、１３  ネック部、１６  内腔、２０  プランジャー、２１  押圧部、２２  ガスケット、２５  段差、３０  ノズル、３１  付勢部、３２，６２  貫通孔、３３  ノズル本体、３４  爪部、３５ｆ  第二面、３６  保持空間、４０  ストッパ、５０  フィンガーグリップ、５１  突起、６０  パッキン、６１  凸部、７０  中込、８０  ノズルキャップ。
【図１】
2018175006.tif 000003
【図２】
2018175006.tif 000004
【図３】
2018175006.tif 000005
【図４】
2018175006.tif 000006
【図５】
2018175006.tif 000007
【図６】
2018175006.tif 000008
【図７】
2018175006.tif 000009
【図８】
2018175006.tif 000010
【図９】
2018175006.tif 000011
【図１０】
2018175006.tif 000012
【図１１】
2018175006.tif 000013
【図１２】
2018175006.tif 000014
【図１３】
2018175006.tif 000015
【図１４】
2018175006.tif 000016
【図１５】
2018175006.tif 000017
【図１６】
2018175006.tif 000018
【図１７】
2018175006.tif 000019
【図１８】
2018175006.tif 000020
【図１９】
2018175006.tif 000021